(57)【要約】【課題】水分を含んだ塵埃を吸引した場合でも、水分を塵埃から分離し、除湿した塵埃のみを吸込むことができる塵埃吸込具を提供することを目的とする。【解決手段】塵埃吸込具１は、被清掃面２から塵埃を吸引する吸気口３を有する床ノズル４と、床ノズル４と気密に連通する風路５を設けた連通管６と、吸引する塵埃から水分を分離する水分分離手段７とを備えたものである。これによって、吸気口３より床ノズル４に吸引された塵埃は、水分分離手段７により水分が分離され、除湿された塵埃のみを吸込むことができ、水分による悪影響がないものである。【選択図】図１
2007061538.tif 000002
【特許請求の範囲】
【請求項１】
被清掃面から塵埃を吸引する吸気口を有する床ノズルと、前記床ノズルと気密に連通する風路を設けた連通管と、吸引する塵埃から水分を分離する水分分離手段とを備えた塵埃吸込具。
【請求項２】
床ノズルには、水分分離手段により分離された水分を収容する収容部を設けた請求項１に記載の塵埃吸込具。
【請求項３】
床ノズルには、水分分離手段により分離された水分を外部へ放出する放出手段を有する請求項１に記載の塵埃吸込具。
【請求項４】
水分分離手段は加熱手段より構成し、塵埃から水分を加熱分離する請求項１〜３のいずれか１項に記載の塵埃吸込具。
【請求項５】
水分分離手段は遠心分離手段より構成し、塵埃から水分を遠心分離する請求項１〜３のいずれか１項に記載の塵埃吸込具。
【請求項６】
水分分離手段は水分吸着手段より構成し、塵埃から水分を吸着分離する請求項１〜３のいずれか１項に記載の塵埃吸込具。
【請求項７】
水分分離手段は塵埃押圧手段より構成し、塵埃から水分を押圧分離する請求項１〜３のいずれか１項に記載の塵埃吸込具。
【請求項８】
請求項１〜７のいずれか１項に記載の塵埃吸込具を用いた電気掃除機。
【請求項９】
塵埃吸込具の水分分離手段は、使用・非使用を切り替え調整可能とした請求項８に記載の電気掃除機。
【発明の詳細な説明】
【技術分野】
【０００１】
本発明は、吸引する塵埃から水分を分離する塵埃吸込具とそれを用いた電気掃除機に関するものである。
【背景技術】
【０００２】
従来、塵埃吸込具として、フィルタを設けて塵埃以外の異物、例えば硬貨やクリップなどを取り除くようにしたものが知られている（例えば、特許文献１参照）。
【特許文献１】特開２００２−２０９８１６号公報
【発明の開示】
【発明が解決しようとする課題】
【０００３】
しかしながら、前記従来の構成では、吸引された塵埃から水分を分離する構成を有しておらず、電気掃除機の場合、水分を含む塵埃を吸込んだ際に吸引手段まで水分が入り込み、吸引手段を構成するモータのコイルや回路が短絡し、発熱、発火に至る危険性があるという課題を有していた。
【０００４】
本発明は、前記従来の課題を解決するもので、水分を含んだ塵埃を吸引した場合でも、水分を塵埃から分離し、除湿した塵埃のみを吸込むことができる塵埃吸込具とそれを用いた電気掃除機を提供することを目的とする。
【課題を解決するための手段】
【０００５】
前記従来の課題を解決するために、本発明の塵埃吸込具は、被清掃面から塵埃を吸引する吸気口を有する床ノズルと、前記床ノズルと気密に連通する風路を設けた連通管と、吸引する塵埃から水分を分離する水分分離手段とを備えたものである。
【０００６】
これによって、吸気口より床ノズルに吸引された塵埃は、水分分離手段により水分が分離され、除湿された塵埃のみを吸込むことができ、水分による悪影響がないものである。
【０００７】
また、この塵埃吸込具を用いた電気掃除機は、吸引手段を構成するモータのコイルや回路が短絡し、発熱、発火に至る危険性がなく、安全に清掃を行うことができる。
【発明の効果】
【０００８】
本発明の塵埃吸込具とそれを用いた電気掃除機は、塵埃から水分を分離し、除湿された塵埃のみを吸込むことができる。
【発明を実施するための最良の形態】
【０００９】
第１の発明は、被清掃面から塵埃を吸引する吸気口を有する床ノズルと、前記床ノズルと気密に連通する風路を設けた連通管と、吸引する塵埃から水分を分離する水分分離手段とを備えた塵埃吸込具とすることにより、吸気口より床ノズルに吸引された塵埃は、水分分離手段により水分が分離され、除湿された塵埃のみを吸込むことができ、水分による悪影響がないものである。
【００１０】
第２の発明は、特に、第１の発明において、床ノズルには、水分分離手段により分離された水分を収容する収容部を設けたことにより、被清掃面から床ノズルに吸引された塵埃から分離された水分を収容部に溜めておくことができる。
【００１１】
第３の発明は、特に、第１の発明において、床ノズルには、水分分離手段により分離された水分を外部へ放出する放出手段を有することにより、被清掃面から床ノズルに吸引された塵埃から分離された水分を清掃中、連続的に外部へ放出するため、清掃後に作業者が水分を廃棄するなどのメンテナンスが不要になる。
【００１２】
第４の発明は、特に、第１〜第３のいずれか１つの発明において、水分分離手段は加熱手段より構成し、塵埃から水分を加熱分離することにより、塵埃中の水分は蒸発処理され、水分による悪影響がなく安全使用ができるとともに、塵埃に含まれるダニなどの有害微生物を加熱して殺傷させることができる。
【００１３】
第５の発明は、特に、第１〜第３のいずれか１つの発明において、水分分離手段は遠心分離手段より構成し、塵埃から水分を遠心分離することにより、塵埃に含まれる水分は旋回流で遠心分離されて除湿された塵埃のみを吸込むことができ、水分による悪影響がなく安全使用ができるものである。
【００１４】
第６の発明は、特に、第１〜第３のいずれか１つの発明において、水分分離手段は水分吸着手段より構成し、塵埃から水分を吸着分離することにより、塵埃に含まれる水分は吸着分離されて除湿された塵埃のみを吸込むことができ、水分による悪影響がなく安全使用ができるものである。
【００１５】
第７の発明は、特に、第１〜第３のいずれか１つの発明において、水分分離手段は塵埃押圧手段より構成し、塵埃から水分を押圧分離する構成としたことにより、塵埃に含まれる水分は押圧分離（絞り出）されて除湿された塵埃のみを吸込むことができ、水分による悪影響がなく安全使用ができるものである。さらに、押圧により塵埃の大きさが小さくなるため、より多くの量の塵埃を吸込むことができる。
【００１６】
第８の発明は、特に、第１〜第７のいずれか１つの発明において、請求項１〜７のいずれか１項に記載の塵埃吸込具を用いた電気掃除機とすることにより、除湿された塵埃のみを吸込むので、吸引手段を構成するモータのコイルや回路が短絡し、発熱、発火に至る危険性がなく、安全に清掃を行うことができる。
【００１７】
第９の発明は、特に、第８の発明において、塵埃吸込具の水分分離手段は、使用・非使用を切り替え調整可能としたことにより、作業者が必要に応じて水分分離手段を使用・非使用を切り替えることができ、電気掃除機の使用電力を節約することが可能になる。また塵埃中の水分量をセンサで検知し自動的に水分分離手段を使用するようにすることで、清掃中の作業者の手間を省くことが可能になる。
【００１８】
以下、本発明の実施の形態について、図面を参照しながら説明する。なお、この実施の形態によって本発明が限定されるものではない。
【００１９】
（実施の形態１）
図１は、本発明の実施の形態１における塵埃吸込具を示すものである。
【００２０】
図に示すように、塵埃吸込具１は、被清掃面２から塵埃を含む空気流Ａを吸引する吸気口３を有する床ノズル４と、床ノズル４と気密に連通する風路５を設けた連通管６と、床ノズル４に吸引された空気流Ａに含まれる塵埃から水分を分離し除湿された塵埃を含む空気流Ｂを発生するための水分分離手段７とを備えている。
【００２１】
前記連通管６は空気流Ａを発生させるファンモータなどの吸引手段とつながっている。また、水分分離手段７としては、各種の方法、構成が考えられるものであり、ここで水分の分離が行えるものであればいずれのものであってもよい。なお、水分分離手段７は床ノズル４内に設置しているが、これに限らず、空気流の流れが切り替えられるバイパス通路を形成してそこに設置してもよい。また、連通管６に設置することも可能である。
【００２２】
以上のように構成された塵埃吸込具１について、以下その動作、作用を説明する。
【００２３】
まず、吸気口３に吸引された塵埃を含む空気流Ａは、床ノズル４内に設けられた水分分離手段７を通り、空気流Ａに含まれた塵埃から水分が分離されて、除湿された塵埃を含む空気流Ｂを発生させる。発生した空気流Ｂは気密に設けられた連通管６内の風路５を通り、吸引手段により吸引されるものである。
【００２４】
このように、本実施の形態においては、水分分離手段７を設けることにより、吸気口３より床ノズル４に吸引された塵埃は水分が除去され、除湿された塵埃を含む空気流Ｂを吸込むことができ、水分による悪影響がなく安全使用ができるものである。
【００２５】
（実施の形態２）
図２、図３は、本発明の実施の形態２における塵埃吸込具を示すものである。実施の形態１と同一要素については同一符号を付してその説明を省略する。
【００２６】
本実施の形態における塵埃吸込具８は、床ノズル４に、水分分離手段７により分離された水分を収容する収容部９を設けたものである。図２においては、収容部９を床ノズル４内の水分分離手段７と連通管６の間に設けた構成を示している。図３においては、収容部９を床ノズル４の外部に設けた構成を示している。いずれの場合も収容部９を床ノズル４に対して取り外し可能にして、清掃後に作業者が収容部９に溜まった水分を廃棄しやすく配慮されている。
【００２７】
以上のように構成された塵埃吸込具８について、以下その動作、作用を説明する。
【００２８】
まず、吸気口３に吸引された塵埃を含む空気流Ａは、水分分離手段７を通り、空気流Ａに含まれた塵埃から水分が分離されて、除湿された塵埃を含む空気流Ｂを発生させる。発生した空気流Ｂは気密に設けられた連通管６内の風路５を通り、吸引手段により吸引されるものである。
【００２９】
このように、本実施の形態においては、水分分離手段７により分離された水分を収容する収容部９を設けることにより、塵埃から分離された水分を収容部９に溜めておくことができる。そして、取り外し可能にすれば、清掃後に作業者が収容部９に溜まった水分を廃棄しやすいものである。
【００３０】
（実施の形態３）
図４は、本発明の実施の形態３における塵埃吸込具を示すものである。実施の形態１と同一要素については同一符号を付してその説明を省略する。
【００３１】
本実施の形態における塵埃吸込具１０は、床ノズル４に、水分分離手段７により分離された水分を外部へ放出する放出手段１１を設けたものである。放出手段１１は、水分分離手段７とつながり床ノズル４の上部に開放する開放筒より構成されている。
【００３２】
以上のように構成された塵埃吸込具１０では、塵埃から分離された水分は、床ノズル４の上部の放出手段１１から連続的に床ノズル４外部に放出される。
【００３３】
このように、本実施の形態においては、塵埃から分離された水分を清掃中、連続的に外部へ放出するため、清掃後に作業者が水分を廃棄するなどのメンテナンスが不要になる。
【００３４】
（実施の形態４）
図５、図６は、本発明の実施の形態４における塵埃吸込具を示すものである。実施の形態１、３と同一要素については同一符号を付してその説明を省略する。
【００３５】
図５に示すように、本実施の形態における塵埃吸込具１２は、水分分離手段７として平板積層型ヒータを用いた加熱手段１３により構成し、塵埃から水分を加熱分離するようにしている。図６に示す塵埃吸込具１４は、水分分離手段７として丸形ヒータを用いた加熱手段１５により構成し、塵埃から水分を加熱分離するようにしている。
【００３６】
以上のように構成された塵埃吸込具１２、１４では、吸気口３に吸引された塵埃を含む空気流Ａは、床ノズル４内に設けられた加熱手段１３、１５を通る際に加熱されて、塵埃に含まれる水分は蒸発し、除湿された塵埃を含む空気流Ｂとなる。蒸発した水分は、床ノズル４の上部の放出手段１１から連続的に床ノズル４外部に放出される。
【００３７】
このように、本実施の形態においては、水分分離手段７は加熱手段１３または１５により構成し、塵埃から水分を加熱分離するようにしたことにより、塵埃中の水分は蒸発処理され、水分による悪影響がなく安全使用ができ、水分による悪影響がなく安全使用ができるとともに、塵埃に含まれるダニなどの有害微生物を加熱して殺傷させることができる。
【００３８】
（実施の形態５）
図７、図８は、本発明の実施の形態５における塵埃吸込具を示すものである。実施の形態１と同一要素については同一符号を付してその説明を省略する。
【００３９】
本実施の形態における塵埃吸込具１６は、水分分離手段７として遠心分離手段１７により構成し、塵埃から水分を遠心分離するようにした。遠心分離手段１７は、略円筒形の二層内形構造を有し、塵埃を含む空気流Ａを接線方向に流入させる吸気口１８と、遠心分離させた水分を通過させるための孔を有する一層壁１９と、遠心分離させた水分を溜めておく収容部２０と、除湿した塵埃を含む空気流Ｂを排気するための排気口２１を有した遠心分離ケース２２から構成されている。
【００４０】
以上のように構成された塵埃吸込具１６では、吸気口３に吸引された塵埃を含む空気流Ａは、遠心分離手段１７の遠心分離ケース２２の吸気口１８から接線方向に流入し旋回流Ｃが発生する。発生した旋回流Ｃで塵埃を含む空気流Ａから水分を遠心分離し、分離された水分は一層壁１９の孔を通り、その慣性力により旋回しながら収容部２０に溜まっていく。除湿された塵埃を含む空気流Ｂは遠心分離ケース２２の排気口２１から排出されて連通管６内の風路５を通り、吸引手段により吸引されるものである。
【００４１】
このように、本実施の形態においては、水分分離手段７は遠心分離手段１７より構成し、塵埃から水分を遠心分離することにより、塵埃に含まれる水分は旋回流で遠心分離されて除湿された塵埃のみを吸込むことができ、水分による悪影響がなく安全使用ができるものである。
【００４２】
（実施の形態６）
図９は、本発明の実施の形態６における塵埃吸込具を示すものである。実施の形態１と同一要素については同一符号を付してその説明を省略する。
【００４３】
本実施の形態における塵埃吸込具２３は、水分分離手段７として水分吸着手段２４より構成している。水分吸着手段２４は、シリカゲルやデシカイトを始め、酸化カルシウムやゼオライトなどを使用することができる。
【００４４】
以上のように構成された塵埃吸込具２３では、吸気口３に吸引された塵埃を含む空気流Ａは、床ノズル４内に設けられた水分吸着手段２４を通る際に、塵埃に含まれる水分は吸着分離され、除湿された塵埃を含む空気流Ｂとなる。
【００４５】
このように、本実施の形態においては、水分分離手段７は水分吸着手段２４より構成し、塵埃から水分を吸着分離することにより、塵埃から水分を吸着分離することにより、塵埃に含まれる水分は吸着分離されて除湿された塵埃のみを吸込むことができ、水分による悪影響がなく安全使用ができるものである。
【００４６】
（実施の形態７）
図１０は、本発明の実施の形態７における塵埃吸込具を示すものである。実施の形態１と同一要素については同一符号を付してその説明を省略する。
【００４７】
本実施の形態における塵埃吸込具２５は、水分分離手段７として塵埃押圧手段２６より構成し、塵埃から水分を押圧分離する構成としたものである。塵埃押圧手段２６は、床ノズル４内に流入した塵埃を潰すための３つの回転ローラ２６ａ、２６ｂ、２６ｃより構成し、その下部に塵埃から搾り出された水分を溜めておくための収容部２７を設置している。
【００４８】
以上のように構成された塵埃吸込具２５では、吸気口３に吸引された塵埃を含む空気流Ａは、床ノズル４内に設けられた塵埃押圧手段２６を通る。そして、その際に空気流Ａに含まれた塵埃は回転ローラ２６ａ、２６ｂ、２６ｃの圧力により潰され、塵埃に含まれていた水分は搾り出される。塵埃から搾り出された水分は塵埃押圧手段２６の下部に設置された収容部２７に溜まっていく。除湿された塵埃を含む空気流Ｂは気密に設けられた連通管６内の風路５を通り、吸引手段により吸引されるものである。
【００４９】
以上のように、本実施の形態においては、水分分離手段７は塵埃押圧手段２６より構成し、塵埃から水分を押圧分離する構成としたことにより、塵埃に含まれる水分は押圧分離（絞り出）されて除湿された塵埃のみを吸込むことができ、水分による悪影響がなく安全使用ができるものである。さらに、押圧により塵埃の大きさが小さくなるため、より多くの量の塵埃を吸込むことができる。
【００５０】
（実施の形態８）
図１１は、本発明の実施の形態８におけるキャニスタ型の電気掃除機を示すものである。実施の形態１と同一要素については同一符号を付してその説明を省略する。
【００５１】
本実施の形態における電気掃除機２８は、本体吸気口２９に連通した集塵室３０と送風室３１とを有する本体ケース３２と、集塵室３０に内蔵された通気口を有する集塵ケース３３と、送風室３１内に設置された吸引ファンモータ３４と、本体吸気口２９に気密に接続されたホース３５と、電気掃除機２８の電源入切や吸引力などの設定を操作するための各種スイッチ３６を有した把持部３７と、被清掃面から塵埃を吸引するための塵埃吸込具１と、塵埃吸込具１と把持部３７を気密に接続するための接続管３８から構成されている。
【００５２】
以上のように構成された電気掃除機２８について、以下その動作、作用を説明する。
【００５３】
まず、吸引ファンモータ３４が駆動することにより集塵部３３内を負圧状態にして、塵埃吸込具１が被清掃面から塵埃を含む空気流Ａを吸引し、床ノズル４内で水分が塵埃から分離される。除湿された塵埃を含む空気流Ｂは連通管６と接続管３８およびホース３５の中の風路を通過して本体吸気口２９に流入し、流入した空気流Ｃに含まれる塵埃は集塵部３３に集塵される。集塵部３３を通過した空気流Ｄは仕切り壁３９を通して吸引ファンモータ３４に吸引される。
【００５４】
以上のように、本実施の形態においては、塵埃吸込具１を電気掃除機２８に使用することにより、床ノズル４内で水分を塵埃から分離し、除湿した塵埃を本体ケース３２へ送ることが可能な電気掃除機２８を提供することができる。
【００５５】
なお、本実施の形態では、実施の形態１における塵埃吸込具１を電気掃除機２８に使用する場合を示したが、これに限らず各実施の形態２〜７の塵埃吸込具を使用することもできることは明らかである。また、キャニスタ型の電気掃除機２８に塵埃吸込具１を設置する場合で説明したが、図１２に示すようにアップライト型の電気掃除機４０に設置する場合でも同様の効果が得られるものである。また、把持部３７において手動で水分分離手段７の使用・非使用を切り替え調整可能とすることにより、作業者が必要に応じて水分分離手段７を使用することが可能になり、電気掃除機の使用電力を低減することが可能になる。また、塵埃に含まれる水分量をセンサで検知し自動的に水分分離手段７の使用・非使用を切り替え調整する電気掃除機では、使用電力を低減するとともに、作業者の手間を省くことができる。
【産業上の利用可能性】
【００５６】
以上のように、本発明にかかる塵埃吸込具とそれを用いた電気掃除機は、塵埃から水分を分離し、除湿された塵埃のみを吸込むことができるので、家庭用や工業用に限らず、各種の塵埃処理用途に適用できる。
【図面の簡単な説明】
【００５７】
【図１】本発明の実施の形態１における塵埃吸込具の断面図
【図２】本発明の実施の形態２における塵埃吸込具の断面図
【図３】同塵埃吸込具の他の例を示す断面図
【図４】本発明の実施の形態３における塵埃吸込具の断面図
【図５】本発明の実施の形態４における塵埃吸込具の断面図
【図６】同塵埃吸込具の他の例を示す断面図
【図７】本発明の実施の形態５における塵埃吸込具の断面図
【図８】同塵埃吸込具の遠心分離手段の斜視図
【図９】本発明の実施の形態６における塵埃吸込具の断面図
【図１０】本発明の実施の形態７における塵埃吸込具の断面図
【図１１】本発明の実施の形態８におけるキャニスタ型の電気掃除機の断面図
【図１２】同アップライト型の電気掃除機の断面図
【符号の説明】
【００５８】
１、８、１０、１２、１４、１６、２３、２５  塵埃吸込具
２  被清掃面
３  吸気口
４  床ノズル
５  風路
６  連通管
７  水分分離手段
９  収容部
１１  放出手段
１３、１５  加熱手段
１７  遠心分離手段
２４  水分吸着手段
２６  塵埃押圧手段
２８、４０  電気掃除機
【図１】
2007061538.tif 000003
【図２】
2007061538.tif 000004
【図３】
2007061538.tif 000005
【図４】
2007061538.tif 000006
【図５】
2007061538.tif 000007
【図６】
2007061538.tif 000008
【図７】
2007061538.tif 000009
【図８】
2007061538.tif 000010
【図９】
2007061538.tif 000011
【図１０】
2007061538.tif 000012
【図１１】
2007061538.tif 000013
【図１２】
2007061538.tif 000014